(57)【要約】【課題】複数のデジタルカメラの撮影状況に関する統計情報を提供することが可能な撮影状況管理サーバ、該撮影状況管理サーバを用いた撮影状況管理システム、及び撮影状況管理プログラムを提供すること。【解決手段】撮影情報蓄積部１０５は、デジタルカメラ１００から送信されてくる撮影情報を本システムの全ユーザについて蓄積する。統計部１０６は一定期間毎に、撮影情報蓄積部１０５に蓄積された撮影情報からテーマパーク内の撮影状況に関する統計情報を生成し、統計情報を情報加工サーバ１１２に送信する。情報加工サーバ１１２は、受信した統計情報を統計情報加工部１１４により加工し、撮影分布図を作成する。作成された撮影分布図は、プリントアウトされてユーザに提供される。【選択図】　図１
2004030031.tif 000002
【特許請求の範囲】
【請求項１】
複数のデジタルカメラの撮影情報を蓄積する蓄積手段と、
前記撮影情報に基づいて、前記複数のデジタルカメラの撮影状況に関する統計情報を生成する統計情報生成手段と、
要求に応じて前記統計情報を提供する提供手段とを備えることを特徴とする撮影状況管理サーバ。
【請求項２】
請求項１記載の撮影状況管理サーバと、
前記統計情報に基づいて、前記複数のデジタルカメラの撮影分布情報を生成して提供する撮影分布情報提供手段とを備えることを特徴とする撮影状況管理システム。
【請求項３】
複数のデジタルカメラの撮影情報を蓄積するステップと、
前記撮影情報に基づいて、前記複数のデジタルカメラの撮影状況に関する統計情報を生成するステップと、
要求に応じて前記統計情報を提供するステップとをコンピュータに実現させる為の撮影状況管理プログラム。
【発明の詳細な説明】
【０００１】
【発明の属する技術分野】
本発明は、デジタルカメラの撮影状況に関する統計情報を提供する撮影状況管理サーバ、撮影状況管理システム、及び撮影状況管理プログラムに関する。
【０００２】
【従来の技術】
従来、デジタルカメラに搭載されるＧＰＳ受信機によって取得した位置情報と撮影した画像とを無線でサーバに送信し、サーバが、デジタルカメラから送信される位置情報に基づいて撮影日時や撮影場所毎に撮影画像を分類し、撮影日時や撮影場所と撮影画像とを関連付けたアルバム等を作成するサービスがテーマパーク等で行われている。
【０００３】
【発明が解決しようとする課題】
上記従来のサービスは、デジタルカメラの使用者が撮影した撮影画像とその位置情報とを関連付けてアルバムを作成するものであり、撮影者個人の情報をその撮影者個人だけが利用できるというものであった。つまり、サーバは、使用者が撮影した撮影場所や撮影日時等の撮影情報を使用者毎の情報として有しており、個々の撮影情報をまとめて統計したテーマパーク全体におけるサービス利用者全員が所持するデジタルカメラの撮影状況等の情報は有していなかった。
【０００４】
本発明は、上記事情に鑑みて為されたものであり、複数のデジタルカメラの撮影状況に関する統計情報を提供することが可能な撮影状況管理サーバ、該撮影状況管理サーバを用いた撮影状況管理システム、及び撮影状況管理プログラムを提供することを目的とする。
【０００５】
【課題を解決するための手段】
本発明の撮影状況管理サーバは、複数のデジタルカメラの撮影情報を蓄積する蓄積手段と、前記撮影情報に基づいて、前記複数のデジタルカメラの撮影状況に関する統計情報を生成する統計情報生成手段と、要求に応じて前記統計情報を提供する提供手段とを備えることを特徴とする。
【０００６】
この構成により、複数のデジタルカメラの撮影状況に関する統計情報を提供することができる。
【０００７】
本発明の撮影状況管理システムは、請求項１記載の撮影状況管理サーバと、前記統計情報に基づいて、前記複数のデジタルカメラの撮影分布情報を生成して提供する撮影分布情報提供手段とを備えることを特徴とする撮影状況管理システム。
【０００８】
又、本発明の撮影状況管理システムは、前記複数のデジタルカメラがテーマパーク内で用いられるデジタルカメラであって、前記撮影分布情報とは、前記テーマパークのマップ上に対応付けて前記デジタルカメラで撮影された撮影場所分布を表示させた撮影分布図又は撮影場所毎の撮影回数を表す表であることを特徴とする。
【０００９】
この構成により、テーマパークの管理者は、撮影分布図や表を利用することで、撮影が多い場所を知ることができ、テーマパークの管理運営に役立てることができる。又、テーマパークの利用者は、撮影が多い人気場所を知ることができ、行動計画を立てるのに役立てることができる。
【００１０】
本発明の撮影状況管理プログラムは、複数のデジタルカメラの撮影情報を蓄積するステップと、前記撮影情報に基づいて、前記複数のデジタルカメラの撮影状況に関する統計情報を生成するステップと、要求に応じて前記統計情報を提供するステップとをコンピュータに実現させる為のプログラムである。
【００１１】
【発明の実施の形態】
以下、本発明の実施形態について図面を参照して説明する。以下では、例えばディズニーランドのようなテーマパーク等で撮影状況管理システムを使用する場合を例に説明する。尚、本実施形態の説明では、本発明に係る撮影状況管理サーバについて詳述するが、本発明に係る撮影状況管理プログラムについては、撮影状況管理サーバに含まれる各構成要素として実現するためのプログラムであることから、当該プログラムに関する説明は以下の説明に含まれる。
【００１２】
図１は、本発明の実施形態に係る撮影状況管理システムの構成図である。
撮影状況管理システム１は、本システムのユーザに有料又は無料で貸し出されるデジタルカメラ１００、テーマパーク内のエリア毎に配置される無線基地局１０１、撮影状況管理サーバ１０３を有するサービスセンタ１０２、及び情報加工サーバ１１２を備える。デジタルカメラ１００は、無線基地局１０１と有線又は無線により通信を行う。無線基地局１０１は、撮影状況管理サーバ１０３と有線又は無線により通信を行い、デジタルカメラ１００から送信される情報を撮影状況管理サーバ１０３に送信する。撮影状況管理サーバ１０３と情報加工サーバ１１２とは無線又は有線により通信可能である。
【００１３】
デジタルカメラ１００は、送信部１０９、ＧＰＳ情報取得部１１０、及び制御部１１１を備える。送信部１０９は、撮影画像及び撮影画像に関する撮影情報（撮影場所情報、撮影日時情報、及びユーザＩＤ等）を撮影状況管理サーバ１０３に送信する。ＧＰＳ情報取得部１１０は、ＧＰＳ情報取得アンテナ１１６を介して、ＧＰＳ衛星から送信されるＧＰＳデータにより位置情報及び日時情報（以下、ＧＰＳ情報という）を取得する。制御部１１１は上記各部を制御する。
【００１４】
撮影状況管理サーバ１０３は、受信部１０４、特許請求の範囲の蓄積手段に該当する撮影情報蓄積部１０５、特許請求の範囲の統計情報生成手段に該当する統計部１０６、特許請求の範囲の提供手段に該当する送信部１０７、及び制御部１０８を備える。
【００１５】
受信部１０４は、デジタルカメラ１００から送信されてくる撮影情報を受信する。撮影情報蓄積部１０５は、受信部１０４で受信した撮影情報を本システムの全ユーザについて蓄積する。統計部１０６は、蓄積された撮影情報を、ユーザの年齢、時間帯、及び期間等の項目毎にテーマパーク内の撮影位置の分布状況等を統計してデータベース化し、図示しない記録部に記録する。送信部１０７は、統計部１０６によって統計された統計情報を情報加工サーバ１１２に送信する。制御部１０８は上記各部を制御する。
【００１６】
次に、統計部１０６について詳しく説明する。
統計部１０６は、撮影情報蓄積部１０５に蓄積されている撮影情報に含まれるユーザＩＤに基づいて、画像を撮影したユーザの年齢を判断し、ＧＰＳ情報に基づいて、ユーザの年齢毎の撮影分布状況に関する統計情報を生成する。
【００１７】
又、統計部１０６は、撮影情報蓄積部１０５に蓄積されている撮影情報に含まれるＧＰＳ情報に基づいて、時間帯毎の撮影分布状況に関する統計情報を生成する。
【００１８】
又、統計部１０６は、撮影情報蓄積部１０５に蓄積されている撮影情報に含まれるＧＰＳ情報に基づいて、月毎又は年毎の撮影分布状況に関する統計情報を生成する。
【００１９】
又、撮影場所毎の撮影回数に関する統計情報を生成する。
【００２０】
情報加工サーバ１１２は、受信部１１３、統計情報加工部１１４、及び撮影分布情報提供部１１５を備える。尚、統計情報加工部１１４及び撮影分布情報提供部１１５は特許請求の範囲の撮影分布情報提供手段に該当する。
【００２１】
受信部１１３は、撮影状況管理サーバ１０３から送信される統計情報を受信し、統計情報加工部１１４に入力する。統計情報加工部１１４は、入力された統計情報を加工して撮影分布情報を生成する。具体的には、ユーザの年齢毎、時間帯毎、又は期間毎の統計情報に基づいて、撮影が行われた位置を点としてテーマパークのマップ上にプロットした撮影分布図を作成したり、撮影場所毎における撮影回数の累計に基づいて撮影スポットランキング等を表す表を作成したりする。
【００２２】
撮影分布情報提供部１１５は、統計情報加工部１１４によって作成された撮影分布図や撮影スポットランキング表等をプリントアウトしてサービスセンタ１０２においてユーザに提供（又は、サービスセンタ１０２において公開）したり、デジタルカメラ１００に無線基地局１０１を介して送信したり、ウェブサイト上で閲覧できるようにしたりする方法等によって、ユーザに撮影分布情報を提供する。
【００２３】
図２は、情報加工サーバ１１２によって加工された撮影分布情報の一例を示す図である。同図では、例えば、撮影分布情報をウェブサイト上で閲覧できるようにした場合に表示されるウェブページの表示例を示した。
【００２４】
図２に示したように、ウェブページ上には、本システムの全ユーザの各々によって撮影が行われた場所に対応するプロットがテーマパークのマップＡ上に表示される。尚、マップＡはエリア毎に区切られて表示されている。ここでユーザが、ウェブページ上の撮影分布の各種項目を選択していくことで、ユーザはそれぞれの項目の撮影分布図を閲覧することができる。又、「撮影スポットランキング」という項目を選択すると、画面は図２（ｂ）に遷移し、撮影人気スポットの撮影回数の累計が表示される。
【００２５】
図３は、撮影状況管理システムのユーザが撮影分布図を閲覧するまでの流れを説明するシーケンスチャートである。
【００２６】
まず、本システムのユーザは、サービスセンタ１０２においてユーザ登録を行い、ユーザＩＤが付与されたデジタルカメラ１００をレンタルする。その後、ユーザがテーマパーク内で撮影を開始する（Ｓ３０１）と、デジタルカメラ１００は、撮影が行われたときの撮影位置情報及び撮影日時情報（ＧＰＳ情報）を取得し（Ｓ３０２）、取得したＧＰＳ情報及び付与されているユーザＩＤを撮影状況管理サーバ１０３に送信する（Ｓ３０３）。撮影状況管理サーバ１０３は、デジタルカメラ１００から送信されてくる撮影情報を全ユーザにわたって蓄積する（Ｓ３０４）。そして、蓄積している撮影情報に基づいて、データベース（統計情報）を一定期間毎に作成する（Ｓ３０５）。作成された統計情報は情報加工サーバ１１２に送信され（Ｓ３０６）、ここで加工される（Ｓ３０７）。加工された結果得られる撮影分布情報はユーザに提供されて（Ｓ３０８）、図２に示したようにウェブサイト上にてユーザが閲覧できるようになる。
【００２７】
以上のように、本実施形態によれば、テーマパークの管理者が、ウェブサイト上に表示された撮影分布図等を見ることで、テーマパーク内のどの場所が撮影人気スポットであるか等を判断することができ、テーマパークの運営に役立てることができる。又、ユーザは、どの場所が撮影人気スポットであるかを知ることができ、撮影人気スポットに合わせた行動計画を立てることができる。
【００２８】
尚、本実施形態では、統計情報の作成や撮影分布情報の提供等を情報加工サーバ１１２が行う構成としているが、これらは撮影状況管理サーバ１０３において行う構成としても良い。
【００２９】
又、撮影分布情報の作成は撮影状況管理サーバ１０３で行い、撮影状況管理サーバ１０３に接続されるプリンタや記録装置によって撮影分布情報をプリントアウトしたり記録媒体に記録したりしても良い。
【００３０】
又、撮影分布情報の提供は、本システムのユーザのみに提供しても良いし、テーマパーク内の全ての人に提供しても良い。
【００３１】
又、本実施形態では、テーマパーク内で貸し出されたデジタルカメラから送信される撮影情報に基づいて、撮影分布情報を提供する構成としているが、これに限らず、観光地等の広い範囲を対象としても良いし、或いは全国のテーマパークや観光地等における撮影分布情報を統計して、日本全国における撮影分布情報を提供するようなサービスを行うことも可能である。
【００３２】
【発明の効果】
本発明によれば、複数のデジタルカメラの撮影状況に関する統計情報を提供することが可能な撮影状況管理サーバ、該撮影状況管理サーバを用いた撮影状況管理システム、及び撮影状況管理プログラムを提供することができる。
【図面の簡単な説明】
【図１】本発明の実施形態に係る撮影状況管理システムの構成図である。
【図２】情報加工サーバ１１２によって加工された撮影分布情報の一例を示す図である。
【図３】撮影状況管理システムのユーザが撮影分布図を閲覧するまでの流れを説明するシーケンスチャートである。
【符号の説明】
１　撮影状況管理システム１
１００　デジタルカメラ
１０１　無線基地局
１０２　サービスセンタ
１０３　撮影状況管理サーバ
１０４，１１３　受信部
１０５　撮影情報蓄積部
１０６　統計部
１０７，１０９　送信部
１０８，１１１　制御部
１１０　ＧＰＳ情報取得部
１１２　情報加工サーバ
１１４　統計情報加工部
１１６　ＧＰＳデータ取得アンテナ
【図１】
2004030031.tif 000003
【図２】
2004030031.tif 000004
【図３】
2004030031.tif 000005